(57)【要約】【課題】  コンタクトガラスと装置本体の隙間から紙粉等が画像形成装置内に入りにくく良好な画像を形成できると供に移動中にコンタクトガラスが破損しにくいコンタクトガラス支持部材、コンタクトガラス支持構造および画像形成装置を提供する。【解決手段】  コンタクトガラス３と、前記コンタクトガラス３を本体装置２に支持するコンタクトガラス支持枠５との間に配置され、該コンタクトガラス３を本体装置のコンタクトガラス周囲パネル開口内に支持するコンタクトガラス支持部材４であって、前記コンタクトガラス支持枠５上に設けられて前記コンタクトガラスを支持する支持部材６と、前記コンタクトガラス支持枠５上の前記支持部材の間に設けられ、前記支持部材の厚さ寸法より小さい厚さ寸法を備えコンタクトガラスとその上面との間に段差１０を形成する段差形成部材７とを備える。【選択図】図１
2005091678.tif 000002
【特許請求の範囲】
【請求項１】
原稿照明用の光源からの光を透過するコンタクトガラスと、前記コンタクトガラスを本体装置に支持するコンタクトガラス支持枠との間に配置され、該コンタクトガラスを本体装置のコンタクトガラス周囲パネル開口内に支持するコンタクトガラス支持部材であって、
前記コンタクトガラス支持枠上に設けられて前記コンタクトガラスを支持する支持部材と、
前記コンタクトガラス支持枠上の前記支持部材の間に設けられ、前記支持部材の厚さ寸法より小さい厚さ寸法を備えコンタクトガラスとその上面との間に段差を形成する段差形成部材とを備えることを特徴とするコンタクトガラス支持部材。
【請求項２】
前記コンタクトガラス支持部材の支持部材と段差形成部材とは別体として構成されていることを特徴とするコンタクトガラス支持部材。
【請求項３】
請求項１または請求項２のコンタクトガラス支持部材において、
段差形成部材の外縁はコンタクトガラスの外縁より内側に形成されていることを特徴とするコンタクトガラス支持部材。
【請求項４】
コンタクトガラスの縁部とコンタクトガラス支持部材の間に請求項１ないし請求項３のコンタクトガラス支持部材配置したことを特徴とするコンタクトガラスの支持構造。
【請求項５】
請求項１ないし請求項３のいずれかのコンタクトガラス支持部材を使用したことを特徴とする画像形成装置。
【請求項６】
請求項４のコンタクトガラス支持構造を備えたことを特徴とする画像形成装置。
【請求項７】
請求項６の画像形成装置において、前記コンタクトガラス中央から前記段差部の外縁までの距離ｔと、前記コンタクトガラス中央から該コンタクトガラス端面の距離ｔｃの関係が、ｔ＜ｔｃとなるように構成されたことを特徴とする画像形成装置。
【発明の詳細な説明】
【技術分野】
【０００１】
本発明はコンタクトガラス支持部材、コンタクトガラス支持構造および画像形成装置に係り、特にコンタクトガラスの汚染を防止して良好な画像を形成できると供に、移動中にコンタクトガラスが破損しにくいコンタクトガラス支持部材、コンタクトガラス支持構造および画像形成装置に関する。
【背景技術】
【０００２】
従来、複写機、ファクシミリ装置などのシート原稿及びブック原稿読取可能な画像形成装置２０にあっては、図３に示すように、装置本体２２の上面にコンタクトガラス２１を配置し、装置本体２２の読み取り光学系によってコンタクトガラス２１上面に配置された原稿を読み取るようにしている。
【０００３】
そして、このコンタクトガラス２１は、図４に示すように装置本体２２上部に設けられたコンタクトガラス支持枠２３の上部であって、装置本体の上側パネル２５の開口２６内に隙間２９をもって配置されている。
【０００４】
この場合コンタクトガラス２１は、コンタクトガラス支持部材２７によって上記コンタクトガラス支持枠２３に支持されている。このコンタクトガラス支持部材２７は合成樹脂製の小片であり、コンタクトガラス２１の縁部の下側に数個間を開けて配置され、コンタクトガラス２１とコンタクトガラス支持枠２３との間には隙間２８が形成される。これらの隙間２８，２９は、画像形成装置２０を移動する際に振動でコンタクトガラス２１を損傷しないために設けられるものである。
【発明の開示】
【発明が解決しようとする課題】
【０００５】
しかしながら、このような画像形成装置２０にあっては、紙質のよくない原稿をコンタクトガラス２１上に配置して使用すると紙粉が発生することがある他、画像形成装置２０が粉塵等が多い場所に設置されていると、上側パネル２５とコンタクトガラス２１の隙間２９、コンタクトガラス２１とコンタクトガラス支持枠２３の間の隙間２８から、紙粉及び粉塵等が装置本体２２内に侵入し（進入路Ｂ）、光学ユニットのミラー等に付着し、スジ状の異常画像等が発生してしまうことがあった。しかしコンタクトガラス２１と上側パネル２５との間の隙間２９およびコンタクトガラス支持枠２３間の隙間２８をなくすと、画像形成装置２０の輸送、または、移動の衝撃、振動により、コンタクトガラス２１が破損してしまうこととなる。
【０００６】
本発明は、このような課題に鑑み成されたものであって、コンタクトガラスと装置本体の隙間から紙粉等が画像形成装置内に入りにくく良好な画像を形成できるようにすると供に、移動中にコンタクトガラスが破損しにくいコンタクトガラス支持部材、コンタクトガラス支持構造および画像形成装置を提供しようとするものである。
【課題を解決するための手段】
【０００７】
請求項１の発明は、原稿照明用の光源からの光を透過するコンタクトガラスと、前記コンタクトガラスを本体装置に支持するコンタクトガラス支持枠との間に配置され、該コンタクトガラスを本体装置のコンタクトガラス周囲パネル開口内に支持するコンタクトガラス支持部材であって、前記コンタクトガラス支持枠上に設けられて前記コンタクトガラスを支持する支持部材と、前記コンタクトガラス支持枠上の前記支持部材の間に設けられ、前記支持部材の厚さ寸法より小さい厚さ寸法を備えコンタクトガラスとその上面との間に段差を形成する段差形成部材とを備えることを特徴とするものである。
【０００８】
請求項２の発明は、請求項のコンタクトガラス支持部材において、前記コンタクトガラス支持部材の支持部材と段差形成部材とは別体として構成されていることを特徴とするものである。
【０００９】
請求項３の発明は、請求項１または請求項２のコンタクトガラス支持部材において、段差形成部材の外縁は、コンタクトガラスの外縁より内側に形成されていることを特徴とするものである。
請求項４の発明は、コンタクトガラスの縁部とコンタクトガラス支持部材の間に請求項１ないし請求項３のコンタクトガラス支持部材配置したことを特徴とするものである。
【００１０】
請求項５の発明は、請求項１ないし請求項３のいずれかのコンタクトガラス支持部材を使用したことを特徴とする画像形成装置である。
【００１１】
請求項６の発明は、請求項４のコンタクトガラス支持構造を備えたことを特徴とする画像形成装置である。
【００１２】
請求項７の発明は、請求項６の画像形成装置において、請求項６の画像形成装置において、前記コンタクトガラス中央から前記段差部の外縁までの距離ｔと、前記コンタクトガラス中央から該コンタクトガラス端面の距離ｔｃの関係が、ｔ＜ｔｃとなるように構成されたことを特徴とするものである。
【発明の効果】
【００１３】
本発明によれば、コンタクトガラスの支持部材間で、該支持部材取付面と該コンタクトガラス下面の間に段差を設け、且つ、その段差部がコンタクトガラスとの間に隙間を設けているから、装置本体内に紙粉及び粉塵等が侵入にくくして異常画像等の発生を防ぐと共に、画像形成装置の輸送または、移動時の衝撃及び振動でコンタクトガラスが破損することを防ぐことができる。
【発明を実施するための最良の形態】
【００１４】
以下本発明を実施するための最良の形態を図面に示す実施例を参照して説明する。
【実施例１】
【００１５】
図１は本発明が適用される画像形成装置の実施例を示す斜視図、図２は図１に示した実施例に係る画像形成装置の設置台を示す斜視図である。
【００１６】
本実施例では、画像形成装置１は、従来例で示したものと同様に、装置本体２の上面にコンタクトガラス３を配置し、装置本体２の読み取り光学系（図示していない）よってコンタクトガラス３上面に配置された原稿を読み取るものである。
【００１７】
そして、本例ではコンタクトガラス３は、図１および図２に示すように装置本体２内部上方に設けられたコンタクトガラス支持枠５の上部にコンタクトガラス支持部材４に支承され、装置本体の上側パネル８の開口９内に隙間１２をもって配置されている。
【００１８】
すなわち、本例ではコンタクトガラス３はコンタクトガラス支持部材４でコンタクトガラス支持枠５上に配置されている。このコンタクトガラス支持部材４は、支持部材６と段差形成部材７とから構成されている。支持部材６は合成樹脂部材であり、前記コンタクトガラス支持枠６上に適宜間隔を開けて配置されている。また、段差形成部材７は、前記コンタクトガラス支持枠５上の前記コンタクトガラス支持部材４の間で前記コンタクトガラス支持枠５上に粘着され、前記コンタクトガラス支持部材４の厚さ寸法より小さい厚さ寸法を備えたテープ状の合成樹脂部材である。この段差形成部材７は、コンタクトガラス３とその上面との間に段部１０を形成し、また、この段差形成部材７の上面はコンタクトガラス３下面に接触せず、コンタクトガラス３とコンタクトガラス支持枠５とのの寸法Ｄより小さい寸法ｄの隙間１１が形成されるよう構成されている。
【００１９】
また、本例では、支持部材６の外縁はコンタクトガラス３の外縁と略一致するものとし、前記段差形成部材７の外縁は、コンタクトガラス３の外縁より内側に形成されるものとしている。これはすなわち、コンタクトガラス３中央から段差までの距離：ｔとコンタクトガラス３中央からコンタクトガラス３端面までの距離：ｔｃの関係を、ｔ＜ｔｃとするものである。
【００２０】
本実施例によれば、装置本体２内に侵入する紙粉及び粉塵等は段部１０に衝突して落下するほか、侵入経路Ａは迷路状と複雑になるため、流入した粉塵等が装置本体２内に入り込むことを防止でき、光学ユニット内に紙粉及び粉塵等が侵入しにくくなる。このため、スジ状の異常画像等を防ぐことが可能となる。また、画像形成装置本体の輸送または、移動時の衝撃・振動によりコンタクトガラスが破損することを防ぐことができる。
【００２１】
なお、上記実施例では、支持部材の支持部材と段差形成部材とは別体として構成した例について説明したが、支持部材は支持部材と段差形成部材とを一体に形成したものであってもよい。
【００２２】
また、本発明は、上記した実施の形態に限定されるものではなく、本発明の要旨を逸脱しない範囲内において種々変更を加え得ることは勿論である。
【図面の簡単な説明】
【００２３】
【図１】本発明が適用される画像形成装置の一例を示す斜視図である。
【図２】本発明の第１の実施例に係る画像形成装置の設置台を示す斜視図である。
【図３】本発明の第１の実施例に係る画像形成装置の設置台構造を示す図１中Ａ−Ａ線に相当する断面図である
【図４】従来の画像形成装置の設置台を示す図１中Ａ−Ａ線に相当する断面図である。
【符号の説明】
【００２４】
１     画像形成装置
２     装置本体
３     コンタクトガラス
４     コンタクトガラス支持部材
５     コンタクトガラス支持枠
６     支持部材
７     段差形成部材
８     上側パネル
９     開口
１０   段部
１１   隙間
１２   隙間
２０   画像形成装置
２１   コンタクトガラス
２２   装置本体
２３   コンタクトガラス支持枠
２５   上側パネル
２６   開口
２７   コンタクトガラス支持部材
２８   隙間
２９   隙間
【図１】
2005091678.tif 000003
【図２】
2005091678.tif 000004
【図３】
2005091678.tif 000005
【図４】
2005091678.tif 000006